(57)【特許請求の範囲】
【請求項１】
仕分けユニットがトロリを具備し、前記トロリから物品を前記トロリの搬送方向に対して横断方向に降荷するために選択的に動作可能な降荷装置が前記トロリ上に配置されている仕分けユニットを起動させる仕分けユニット起動方法において、
（Ａ）離間された複数の降荷ステーションを有する経路に沿って前記トロリを移動させ、
（Ｂ）前記トロリを各降荷ステーションにおいて停止させ、
（Ｃ）前記降荷ステーションにおいてエネルギ信号を発生させて、該エネルギ信号を電磁誘導作用により前記トロリ上の電子ユニットまで伝達し、該電子ユニットはアンテナを含んでおり、該アンテナのサイズは前記トロリの搬送方向において前記トロリの寸法とほぼ同じであり、
（Ｄ）前記エネルギ信号を発生させて伝達する工程（Ｃ）における前記エネルギ信号の伝達作用に応じて、前記電子ユニットにより前記降荷装置を動作させるようにした仕分けユニット起動方法。
【請求項２】
前記エネルギ信号を発生させて伝達する工程（Ｃ）において、
（ａ）デジタル信号を主要出荷システムにおいて発生させ、
（ｂ）前記デジタル信号を前記各降荷ステーションに設置されたインダクタに伝達し、それにより、該インダクタによって誘導磁界を選択された周波数で発生させるようにした請求項１に記載の仕分けユニット起動方法。
【請求項３】
前記降荷装置により行われる降荷方向を決定するために磁界の周波数を変更することをさらに含む請求項２に記載の仕分けユニット起動方法。
【請求項４】
前記降荷装置を動作させる工程（Ｄ）において、エンドレス・コンベヤの形態をなす降荷装置を起動させることを含む請求項１に記載の仕分けユニット起動方法。
【請求項５】
前記トロリから前記降荷ステーションまで情報を伝達するために前記エネルギ信号の搬送方向を変更することをさらに含む請求項１に記載の仕分けユニット起動方法。
【請求項６】
仕分けシステムのトロリを制御する制御方法において、
前記トロリの搬送方向に対して横断方向に物品を荷積みすると共に降荷するために前記トロリを経路に沿って各部署まで搬送し、
前記トロリを前記各部署に位置決めし、
前記トロリ上の機構部を起動させるために制御信号を前記部署から前記トロリ上の電子ユニットまで送達し、該電子ユニットはアンテナを含んでおり、該アンテナのサイズは前記トロリの搬送方向において前記トロリの寸法とほぼ同じであり、
情報を前記トロリから前記部署まで送達するために前記信号の方向を前記部署に戻すよう変更する制御方法。
【請求項７】
仕分けシステムにおいて、
選択された降荷システムまで移動可能なトロリを具備し、該トロリが物品を或る方向に降荷するための降荷装置を含んでおり、
さらに、
デジタル信号を発生させるための主要出荷機構部と、前記デジタル信号を受信して該デジタル信号に応じて磁界を発生させるために降荷ステーションに位置する磁界発生手段と、
前記磁界を検出して該磁界に応じて前記降荷装置を起動させるために前記トロリに配置される磁界検出手段とを具備し、前記磁界検出手段のサイズは前記トロリの搬送方向において前記トロリの寸法とほぼ同じである、仕分けシステム。
【請求項８】
前記磁界発生手段が前記トロリにおける降荷方向を決定するために異なる周波数において磁界を発生させる手段を含む請求項７に記載の仕分けシステム。
【請求項９】
前記磁界発生手段がインダクタを含み、前記磁界検出手段がアンテナを含んでいる請求項７に記載の仕分けシステム。
【請求項１０】
前記トロリからの情報を前記主要出荷機構部に伝達するために前記磁界検出手段が磁界発生手段に磁界の向きを変える請求項９に記載の仕分けシステム。
【請求項１１】
前記磁界発生手段がインダクタを含んでおり、前記磁界検出手段が磁界の存在に応じて電気信号を発生させるセンサを含んでいる請求項７に記載の仕分けシステム。
【請求項１２】
前記降荷装置がエンドレス・コンベヤを含む請求項７に記載の仕分けシステム。
【発明の詳細な説明】
【０００１】
【発明の属する技術分野】
本発明は、「交差ベルト（Ｃｒｏｓｓ  Ｂｅｌｔ）」型の仕分け機における仕分けユニットであって、固定経路に沿って移動する各支持体上に取付けられた各搬送ベルトを備えると共に、上記仕分け機の移動方向に直交する方向において担持対象物を受容かつ降荷すべく起動され得る仕分けユニットを起動かつ制御する装置および関連方法に関する。
【０００２】
【従来の技術】
各トロリ（ｔｒｏｌｌｅｙ）は、該トロリの搬送ベルトを起動する電気モータを制御し得る機上電子ユニットを備えている。
本発明に依れば上記電子ユニットは、上記トロリのピッチに略々整合する長さの少数巻回ループ（ｆｅｗ  ｌｏｏｐｓ）であって、各吐出口（ｏｕｔｌｅｔ）に対向して設定された地表レベル・インダクタ（ｇｒｏｕｎｄ−ｌｅｖｅｌ  ｉｎｄｕｃｔｏｒ）が励起される毎に降荷モータを起動する制御信号を生成する少数巻回ループを備えたプリント回路から成る。
【０００３】
近年、仕分け機を扱う分野では「交差ベルト」型として知られた仕分け機の相当な普及が見られた。
これらの仕分け機は、一連のトロリが固定直線経路に沿って移動する一方で一定の積荷ステーションを通過するときには仕分け対象物を受け取り、企図された収集ステーションで各対象物を降荷する、という設備である。
【０００４】
トロリは通常、上記仕分け機の移動方向に直交する２つの方向に独立的に回転し得る搬送ベルトを備えている。
各ベルトを起動する各電気モータは各対象物の降荷時点における該対象物の正確な位置決め並びに各対象物の適切な宛先に対する各対象物の正確なルーティングを確実にすべく各対象物の積荷段階の間において起動され、且つ、これらの仕分けユニットの制御は公知の技術に基づき（ＯＬＣ、ＰＣなどの）プログラム可能制御器に委ねられる。
【０００５】
本発明の目的は、直交ベルトに対して仕分け機を使用し得る簡素で経済的な解決策であって、長寸経路と少数の吐出口とを備えた施設においてさえも利点が得られる解決策を提供するにある。
これらの用途に対し、直交型仕分け機（ｏｒｔｈｏｇｏｎａｌ  ｓｏｒｔｉｎｇ  ｍａｃｈｉｎｅ）を制御する既存の技術は経済的に正当化されない、と言うのも、斯かる技術は複雑であり、それに見合う価値が無いからである。
【０００６】
本発明は、制御デバイスから信号を受信し、その結果として各対象物を降荷するに必要な仕分けユニットを起動し得る装置および方法に関する。
【０００７】
当業界の現状にては、降荷用ベルトを制御する種々のシステムが公知である。
例えば英国特許ＧＢ  ２２１９９５７号は、各トロリがモータ・アクチュエータと摺動接点（ｇｌｉｄｉｎｇ  ｃｏｎｔａｃｔ）とを備え、該摺動接点は、例えば収集デバイスに隣接して起動が期待される全ての仕分け機領域に対向して設定されて適切に選択された母線路（ｂｕｓｗａｙ）を介し、制御システムからの起動命令（ａｃｔｉｖａｔｉｎｇ  ｃｏｎｔｒｏｌ）を受ける。
【０００８】
上記仕分けユニットが起動されるべき領域を該仕分けユニットが通過するとき、上記制御システムが上記起動ユニットに対して信号を送信するとモータの動力が該ユニットに伝達され、小寸ベルトの回転が開始されて搬送対象物が降荷される。
上記トロリに対する電力は、上記母線路部分とともに仕分け経路に沿って延在する母線路系統により機上で供給される。
この形式の起動形態は有効ではあるが、上記制御システムがその信号を各トロリに送信し得るためには、多数の区分化母線路、摺動接点およびそれらの相対配線が要求される。
【０００９】
一般的に、仕分けシステムは略々数百個の別体の収集デバイスを備えると共に該デバイスは多数の部分および配線を含み、且つ、斯かるシステムにおける各トロリも多くの場合に数百個に上ることを考慮すると、上述のシステムが複雑で高価であることは容易に理解され得る。
【００１０】
欧州特許ＥＰ  ５５６８６６号およびＥＰ  ４８１３４１号は、各トロリが機上インテリジェント・ユニットを備えることにより、各トロリは区分化母線路ならびに夫々の相対摺動接点および電気配線を排除し得るという仕分けシステムを記述している。
【００１１】
このシステムは連続的母線路を介して一定の制御信号を送信し、該制御信号は各トロリの機上の処理ユニットにより復号化して解釈され、モータ起動ユニットに転送される。
通常、トロリ列の全体は夫々が数台のみを含む各グループに細分され、その場合には１台の「マスタ」トロリのみが摺動接点を備えることから、設置される接点の全体個数は相当に減少される。
【００１２】
これに対し、電力は上記経路に沿って延在する連続的母線路から取出される。
このシステムは、相当に多数の宛先を要する用途にて特に効率的であるが、宛先の個数が限られた用途においては単にコスト関連の理由のみにより効率的でない。
【００１３】
当該仕分け機の経路が相当の長さであり又は該経路に沿った吐出口の個数が少ない仕分け機を含む用途においては、機上制御（ｏｎ−ｂｏａｒｄ  ｃｏｎｔｒｏｌ）による相当の洗練化はコスト面からは実際に正当化されない。
これらの設備を簡素化する更なるシステムは、機上に設置されたバッテリであって正に仕分け機の動きにより機械的動作が与えられるという交流発電機により充電されるバッテリを使用して、ベルト起動用モータに対する電力を生成している。
【００１４】
而して上記起動は、各収集デバイスに対向して設定された発光体（ｅｍｉｔｔｅｒ）により生成される赤外線信号により制御される。
トロリの機上にては、上記赤外線信号を受信器が復号化して解釈し、起動ユニットを介してベルトを起動する。
【００１５】
【発明が解決しようとする課題】
しかしこのシステムでさえも多くの問題を呈する、と言うのも、該システムは強い直接的な光や塵埃などの外部影響に敏感であり、更には全てのトロリもしくはいずれにしても相当数のトロリがバッテリ、交流発電機などの種々の高価な装置品目を備えねばならないからである。
【００１６】
これはまた、上記機上制御システムが相当に複雑なことをも意味する。
当業界の現状にて最終的には、各トロリ上でベルトを回転すべく設計された他のデバイスに関与する一定の地表レベル機械的デバイスを提供する「交差ベルト」型の仕分け機が在る。
【００１７】
この後者のシステムは、特に機械的保守の観点から、相当に扱いにくく、相当に高価であり、またノイズがあるので厄介である。
本発明は、少数の吐出口を有する用途における上述の各欠点を最小数の機上制御にて排除することを企図するが、これらの機上制御はいずれにしても各用途にて実際に認識される各評価を以て作動せねばならない。
【００１８】
信頼性：トロリ・モータは、その動作限界内での使用を確実にし得る機上起動システムにより制御されねばならない。
精度：仕分け処理の間における速度特性が反復的であって仕分け対象物の重量から殆ど独立し得る如く、搬送ベルトは制御された加速および速度割合にて起動されねばならない。
融通性：各吐出口に関連する起動箇所は切換え信号（ｓｗ−ｓｉｇｎａｌ）に基づき可変とし、各対象物の仕分けに対して多数の経路を許容せねばならない。種々の経路は、各対象物の特性、仕分け機の速度、又は、吐出口の内側で仕分けされる各対象物の最適分配に基づき選択される。ベルト起動の存続時間は、搬送された対象物の位置の補正を許容すべく可変とされねばならない。限定された用途の形式（少数の吐出口、且つ、大寸の吐出口に依る最終速度の加速などの単一形式の速度勾配の可能性）により可能となる簡素化を利用して上述の各要件を満足すべく、単純な手法で電磁誘導の法則を活用し乍ら当該モータの僅かな制御パラメータ（起動箇所、起動方向など）が地表（ｇｒｏｕｎｄ）側から容易に制御されるというモータにより簡素な作用システムを企図する解決策が開発された。
【００１９】
【課題を解決するための手段】
本発明の１番目の発明によれば、仕分けユニットがトロリを具備し、前記トロリから物品を前記トロリの搬送方向に対して横断方向に降荷するために選択的に動作可能な降荷装置が前記トロリ上に配置されている仕分けユニットを起動させる仕分けユニット起動方法において、（Ａ）離間された複数の降荷ステーションを有する経路に沿って前記トロリを移動させ、（Ｂ）前記トロリを各降荷ステーションにおいて停止させ、（Ｃ）前記降荷ステーションにおいてエネルギ信号を発生させて、該エネルギ信号を電磁誘導作用により前記トロリ上の電子ユニットまで伝達し、（Ｄ）前記エネルギ信号を発生させて伝達する工程（Ｃ）における前記エネルギ信号の伝達作用に応じて、前記電子ユニットにより前記降荷装置を動作させるようにした仕分けユニット起動方法が提供される。
本発明の２番目の発明によれば、前記エネルギ信号を発生させて伝達する工程（Ｃ）において、（ａ）デジタル信号を主要出荷システムにおいて発生させ、（ｂ）前記デジタル信号を前記各降荷ステーションに設置されたインダクタに伝達し、それにより、該インダクタによって誘導磁界を選択された周波数で発生させるようにした１番目の発明に記載の仕分けユニット起動方法が提供される。
本発明の３番目の発明によれば、前記降荷装置により行われる降荷方向を決定するために磁界の周波数を変更することをさらに含む２番目の発明に記載の仕分けユニット起動方法が提供される。
本発明の４番目の発明によれば、前記降荷装置を動作させる工程（Ｄ）において、エンドレス・コンベヤの形態をなす降荷装置を起動させることを含む１番目の発明に記載の仕分けユニット起動方法が提供される。
本発明の５番目の発明によれば、前記トロリから前記降荷ステーションまで情報を伝達するために前記エネルギ信号の搬送方向を変更することをさらに含む１番目の発明に記載の仕分けユニット起動方法が提供される。
本発明の６番目の発明によれば、仕分けシステムのトロリを制御する制御方法において、前記トロリの搬送方向に対して横断方向に物品を荷積みすると共に降荷するために前記トロリを経路に沿って各部署まで搬送し、前記トロリを前記各部署に位置決めし、前記トロリ上の機構部を起動させるために制御信号を前記部署から前記トロリ上の電子ユニットまで送達し、情報を前記トロリから前記部署まで送達するために前記信号の方向を前記部署に戻すよう変更する制御方法が提供される。
本発明の７番目の発明によれば、仕分けシステムにおいて、選択された降荷システムまで移動可能なトロリを具備し、該トロリが物品を或る方向に降荷するための降荷装置を含んでおり、さらに、デジタル信号を発生させるための主要出荷機構部と、前記デジタル信号を受信して該デジタル信号に応じて磁界を発生させるために前記降荷ステーションに位置する磁界発生手段と、前記磁界を検出して該磁界に応じて前記降荷装置を起動させるために前記トロリに配置される磁界検出手段とを具備する仕分けシステムが提供される。
本発明の８番目の発明によれば、前記磁界発生手段が前記トロリにおける降荷方向を決定するために異なる周波数において磁界を発生させる手段を含む７番目の発明に記載の仕分けシステムが提供される。
本発明の９番目の発明によれば、前記磁界発生手段がインダクタを含み、前記磁界受信手段がアンテナを含んでいる７番目の発明に記載の仕分けシステムが提供される。
本発明の１０番目の発明によれば、前記トロリからの情報を前記主要出荷機構部に伝達するために前記磁界検出手段が磁界発生手段に磁界の向きを変える９番目の発明記載の仕分けシステムが提供される。
本発明の１１番目の発明によれば、前記磁界発生手段がインダクタを含んでおり、前記磁界受信手段が磁界の存在に応じて電気信号を発生させるセンサを含んでいる７番目の発明に記載の仕分けシステムが提供される。
本発明の１２番目の発明によれば、前記降荷装置がエンドレス・コンベヤを含む７番目の発明に記載の仕分けシステムが提供される。
【００２０】
本発明の１３番目の発明によれば、各担持トロリ上に存在する各降荷機構部は、各降荷ステーションに対向して載置された誘導デバイスにより生成された誘導結合により起動され、且つ、設備側の処理システムにより個別に制御される、ことを特徴とする、「交差ベルト」型の仕分けユニットを起動する起動方法が提供される。
本発明の１４番目の発明によれば、選択された降荷ステーションに対向して載置されたインダクタに対して、降荷されるべきトロリが適切な位置に在る毎に、設備側の制御システムによりデジタル信号を生成して送信する段階と、デジタル信号の受信に続き、適切な周波数により変化され得る誘導磁界を上記インダクタにより生成する段階と、上記トロリの機上の電子ユニットにより上記可変誘導磁界を検出すると共に、その結果としてトロリ上の前記降荷機構部を起動する段階と、を更に備えることを特徴とする、１３番目の発明記載の方法が提供される。
本発明の１５番目の発明によれば、前記仕分け機の前記各トロリの機上で結果的に利用可能な任意のインテリジェント・ユニットと一定の通信情報を交換し得るべく、前記誘導デバイスは振幅もしくは周波数が変調された磁界を生成することを特徴とする、１４番目の発明記載の方法が提供される。
本発明の１６番目の発明によれば、各降荷ステーションに対向して、設備側の処理ユニットから受信したデジタル信号に対する可変反応を以て磁界を生成し得る一定のデバイスと、各トロリの機上に搭載されたデバイスであって、上記可変磁界を検出し得ると共に、上記信号に基づき上記トロリ上で利用可能な降荷機構部を起動し得るデバイスと、を備えた、「交差ベルト」型の仕分けユニットを起動する起動装置が提供される。
本発明の１７番目の発明によれば、前記命令を生成し得る前記デバイスは地表レベル・インダクタから成り、且つ、上記信号を受信して実行し得る前記デバイスは、各トロリの機上に配備されたユニットから構成され、且つ、機上電子ユニットが、該機上電子ユニットに結合されされた磁界に応じて電気信号を生成する為のループから成り、または、磁界の存在下で電気信号を生成し得る（たとえばＨａｌｌセンサなどの）適切なセンサから成る場合に、上記機上電子ユニットが上記電気信号を処理することで仕分モータを制御し得るべく、上記インダクタから僅かな距離だけ摺動し得る、如く設置される、ことを特徴とする、１６番目の発明記載のデバイスが提供される。
本発明の１８番目の発明によれば、前記トロリの機上に搭載された前記電子ユニットの感応表面は、想起される種々の起動可能性に依存して制御システムが各トロリを容易にかつ選択的に制御し得るべく、略々トロリ自体の長さであることを特徴とする、１６番目の発明記載の装置が提供される。
本発明の１９番目の発明によれば、「交差ベルト」型の仕分け機の各トロリの積荷および降荷操作の適切な実行を制御する方法であって、固定デバイスから移動デバイスへの送信の方向は、実施されたばかりの操作の正しさに関する一定の情報を上記仕分け機の制御システムに送信すべく、または、診断もしくは設定様式に関する他の情報の交換を許容すべく、移動デバイスから固定デバイスへの送信へと反転される段階を備えることを特徴とする、制御方法が提供される。
本発明の２０番目の発明によれば、１６番目の発明に記載の装置を備えた「交差ベルト」型の仕分け機において、積荷命令および／または降荷命令の正しい実行に関する一定情報を上記仕分け機の制御システムに対して送信すべく、固定インダクタとトロリの機上のアンテナとの間の送信の方向を反転し得る一定デバイスを備えることを特徴とする、仕分け機が提供される。
【００２１】
【発明の実施の形態】
以下においては添付図面を参照し、限定的にでは無く例示的に本発明を詳述する。
図１を参照すると参照番号１は、チェーン３または他の同様のデバイスにより引張られて固定経路２に沿って移動する、本発明の仕分け機の一部としてのトロリの全体形状を示している。各トロリは、経路２に沿って全ての吐出口および仕分箇所に面する循環路である連続的な行程を構成すべく、車輪５を備えた車枠４であって近傍のトロリに対して揺動的に接続された車枠４から成る。
【００２２】
各トロリは、ローラ７および８間に緊張巻回されてローラ８により起動される搬送ベルト６を備える。
上記システムはコンテナ、降荷ホッパ、シュート（ｃｈｕｔｅ）などの各収集デバイスと対向する制御ユニットを備えるが、該制御ユニットは、上記仕分け機に対する制御処理システム１６に接続された発振器１７に接続されたインダクタ１５を備えている。
【００２３】
仕分けユニット１が、該仕分けユニット１が自身上に担持すると共に降荷操作の為に起動されるべき対象物の宛先に到達したときは常に、制御システム１６はインダクタ１５に対して（例えば２４Ｖ、０．５Ｖなどの）デジタル信号を送信する。
【００２４】
この周期的信号は、トロリ１の機上の電子ユニット１１のアンテナ１８のループに依存する可変磁界を生成すべく、インダクタ１５にて適切に増幅される。
図３は、上記電子ユニット１１を詳細に示すとともに、同一のプリント回路から導出された所定巻回数のループであってトロリの前方移動の方向においてトロリのサイズより僅かに短い長さのループから成るアンテナ１８を明示している。
【００２５】
上記ループは、インダクタ１５により生成される上記可変磁界と交差する電子ユニット１１のアンテナ１８を構成する。
上記インダクタは、電子ユニット１１のアンテナ１８の各ループ間に囲繞された表面を貫通する可変磁界を生成する。
【００２６】
公知の電磁誘導の法則に依り、上記インダクタにより設定された周波数に基づき変化するエネルギ流は電子ユニット１１の上記ループ内で生成されるが、該エネルギ流は上記周波数と同一の周波数で変化する。斯かる可変の電圧（ｔｅｎｓｉｏｎ）は電子ユニット１１を制御すべく利用される。
【００２７】
上記信号の存在により、制御の形式および存続時間が決定される。
上記周波数の値は、選択された２つの周波数間で帯域を選択する適切なフィルタにより識別されると共に、必要であれば、降荷操作の為に搬送ベルト６を起動する方向を決定し得る。
【００２８】
尚、上述の法則に依り、上記誘導結合デバイスを用いて送信される情報は、インダクタ１５と上記電子ユニットのアンテナ１８との相対位置と無関係であり、または、それらの間の相対速度に無関係である。
電子ユニット１１はまた、上記ループの限定長さに起因する過剰な制限なしで起動箇所を自由選択し得るべく、上記信号を所定時間長だけ保持して該信号を”延長”する機能も備えている。
【００２９】
図４は、種々の信号の典型的な作用を示している。
制御システム１６は、トロリが吐出口に面する毎に、降荷がいずれの側で生ずるかに依存して降荷２０もしくは２１するための信号を発振器１７に送信する。
【００３０】
上記各信号は、所定存続時間を有する波形であると共に、降荷モードに依存し且つ各信号がトロリの一側もしくは他側のいずれの降荷を制御するかに依存し、発振器１７から周波数ｆ１もしくはｆ２の周期信号２２を発信させる。結果としてインダクタ１５は、同一周波数で変化する誘導磁界を生成する。
機上電子ユニット１１内に一体化されたモータ９の制御器は、適切な帯域選択フィルタを使用して周波数ｆ１およびｆ２を識別した後、トロリの一側もしくは他側における降荷操作を実施すべく、信号２２に対応する時間軸上の矩形位置決め波から成る信号２３であって周波数ｆ１およびｆ２に依存する適切な存続時間を有する信号２３を発する。上記の結果、上記搬送ベルトは発せられた信号により決定された方向へと移動する。
【００３１】
機上電子ユニット１１のアンテナ１８は任意の必要なサイズの数本のループから成るが、該サイズは好適には、上記仕分けユニットの前方移動方向で測定された上記トロリのサイズ程度とされる。
これにより、担持された対象物の位置の僅かな補正を達成べく各信号の変調が容易になり、または、多数の積荷操作を有効とすべく種々の起動プログラムが可能とされる。
【００３２】
更に概略的には、トロリのサイズと同様のサイズのアンテナ１８を配備するという事実により、制御システム１６が発振器１７に対して信号を送信する時点を操作するだけで、各対象物に対する種々の降荷経路を決定し得る。
図５は、吐出口に設定されたインダクタ１５と該インダクタ１５の制御デバイスのブロック図を示しており、これは図３の下段部分に対応する。
【００３３】
図５に関し、ＰＬＣ１およびＰＬＣ２は、上記仕分け機の制御システム１６から発せられた信号であり、ＯＳＣ  Ｆ１、Ｆ２は発振器１７からのものであり、該発振器１７が信号ＰＬＣ１もしくはＰＬＣ２のいずれを受信するかに依存し、且つ、降荷操作がトロリのいずれの側で実施されるかに依存し、周波数ｆ１もしくはｆ２にて周期信号を生成するものであり、Ｌ１はインダクタ１５のループである。
【００３４】
図６は各トロリの機上の上記電子ユニットのブロック図であり、上記図面の上段部分に対応する。図６に関し、Ｌは、地表レベル・インダクタ（ｇｒｏｕｎｄ−ｌｅｖｅｌ  ｉｎｄｕｃｔｏｒ）１５と結合すべく設計されたアンテナ１８のループであり、ＢＰＦ  Ｆ１（Ｆ２）は、周波数Ｆ１に一致する帯域範囲選択ユニットであり、ＴＲ，ＤＴは、上記信号を生成すると共に該信号を所定時間間隔だけ延長するスレッショルド回路であり、Ｒは、所定値（たとえば４ｍ／秒２）の加速および減速勾配と、上記所定値で安定化された速度とを生成する勾配発生器であり、Ｈは、反作用デバイス（ｒｅｔｒｏａｃｔｉｎｇ  ｄｅｖｉｃｅ）を備えると共に、特性曲線における制限が課せられたサーボ増幅器であり、Ｍは、トロリ１上の搬送ベルト６を起動するモータ９である。
【００３５】
この様に磁気誘導を用いた信号通信技術を仕分け機の分野に適用すると、以下の如き相当の利点が提供される。
・赤外線光の使用に基づく信号とは異なり、上記制御は塵埃および光に左右されない。更に上記制御は特に、上記回路の低インピーダンスとフィルタの存在とに依り、電磁擾乱に対して耐性を有する。この点、採用される電力レベルは相当に低いことから、電磁擾乱の発散の影響は無視され得る。また、上記インダクタと上記機上電子ユニットとの間の距離に依存する誘導結合の臨界現象でさえも上記仕分け機の問題にはならない、と言うのも、上記電子ユニットに基づく上記インダクタは保護位置に容易に挿入されると共に上記仕分け機の寿命の間における各インダクタの距離の変化は無視可能だからである。
・上記機上電子ユニット１１の官能領域は、アンテナ１８を構成する各ループが容易に獲得されると共に上記モータを制御する電子回路が配置されたのと同一のプリント回路である。この様に一体化したので、特に簡素でコスト的な価値がある。
・上記各ループの長さと上記誘導結合の好都合な特性の故に必要な融通性が許容される一方、該ループをモータ制御回路に対して本質的に一体化したことから最小限のコストで信頼性および精度に対する所要特徴が確実とされ得る。
【００３６】
これまでは他の分野においてのみ使用された電磁誘導システムに基づく制御技術を仕分け機に適用したことから、特に以下の如く明らかな価値を有する利点が得られる。
・光および塵埃に強い所定シーケンスの電磁信号の誘起および受信に基づくシステム、この側面は、経時的に不変な性能を保証する上で基本的なものである。
・仕分け機の搬送速度に無関係な一定品質の装置を必要とする多大な仕分需要に対する解決策、この要件は電磁誘導およびその受信が適切に満足する。
・製造コストおよび特に保守および信頼性に関する相当の利点により、設備が相当に簡素化される。
・各トロリのピッチに匹敵するサイズの受信アンテナ１８を形成し得るという事実に依れば、アンテナ１８がインダクタ１５の近傍である期間が延長され得る結果、任意の所定時点にて仕分けされるべき対象物に依存して仕分けユニット１の作用を制御し得るという利点が得られる。トロリのピッチと同様に離間された各地表レベル・インダクタを利用し得ることから、上記制御システムは必要に応じて個々のトロリの選択的制御を延長することにより個々のインダクタを容易に制御し得る。
・もし、双方向に機能する誘起および受信システムが採用されたなら、各巻線間の電磁誘導の法則の本来的な双方向性と回路１１の適切な配置とにより、降荷操作、診断情報に関する確認、または、構成情報の適切な受信の確認を確実にすべく双方向の情報送信が容易に実現され得る。
【００３７】
これは、アンテナ１８を送信器として且つインダクタ１５を受信器として作動させると共に、インダクタ１５を上記仕分け機の上記制御処理システムに接続することで行われる。
【００３８】
この目的のために回路間にて誘導磁気結合にて情報を交換する一定の技術は公知であり、連続した２進コードで符号化された情報は、可変磁界の強度を変調することにより、または、磁界自体の周波数を変化させることで送信され得る。
【００３９】
本明細書は特に「交差ベルト」型の機械に言及したが、本発明は「交差ベルト」型以外の仕分け機にも適用され得る。たとえばプレートの傾斜が電気デバイス（モータ、電磁石など）に委ねられるという傾斜可能プレート型の一定の仕分け機が公知であるが、この場合でさえもトロリの機上における電力供給は必要であり、本発明は「交差ベルト」型仕分け機に対するのと同様に適用され得る。
当業者であれば種々の改変および変更を更に想起し得るが、その全ては本発明の有効範囲内であると見做される。
【図面の簡単な説明】
【図１】降荷操作の為に搬送ベルトを起動するデバイスを使用する、本発明に係る仕分け機のトロリの簡略図である。
【図２】降荷段階の間における一連のトロリの簡略図である。
【図３】地表レベル・インダクタにより生成された可変磁界と結合された機上電子ユニットを示す図である。
【図４】制御システムにより生成されたデジタル信号と、降荷操作に対する搬送ベルトの動作に対する結果的作用の例を示す図である。
【図５】吐出口に装着されたインダクタと、該インダクタの制御デバイスのブロック図である。
【図６】トロリの機上の電子ユニットのブロック図である。
【符号の説明】
１…トロリ
２…経路
３…チェーン
４…車枠
５…車輪
６…搬送ベルト
７…ローラ
８…ローラ
９…モータ
１１…電子ユニット
１５…インダクタ
１６…制御システム
１７…発振器
１８…アンテナ
２２…信号
２３…信号
【図１】
0004108972.tif 000002
【図２】
0004108972.tif 000003
【図３】
0004108972.tif 000004
【図４】
0004108972.tif 000005
【図５】
0004108972.tif 000006
【図６】
0004108972.tif 000007